(57)【特許請求の範囲】
【請求項１】
走行クローラ（１）を備えた車体（２）の前部に刈取部（３）を設け、車体（２）の後部には脱穀部（４）を搭載し、車体（２）上に備えたグレンタンク（Ｇ）の前方に運転席（６）を設け、該運転席（６）の前側に操作ボックス（５）を設けたコンバインにおいて、前記操作ボックス（５）上にアーチ状に形成した固定ハンドル（８）を突設し、該固定ハンドル（８）の右側端部を外側方へ凸状に湾曲させて膨出部（８ａ）を形成することで該固定ハンドル（８）の前側に位置する操向レバー（２３）の操作時にオペレータが手を置く部分を拡大し、該膨出部（８ａ）を運転席（６）の下方に搭載されたエンジン（Ｅ）の外側部のカバー（２２）の外側面よりも内側の部位に配置し、右側の第１方向指示器（２０Ｒ）を取付ステー（２１）を介して前記固定ハンドル（８）に装着し、該第１方向指示器（２０Ｒ）を、機体正面視で操作ボックス（５）の前面に装着されたフロントパネル（７）の外側縁よりも外側方で、前記カバー（２２）の外側面よりも内側で、前記固定ハンドル（８）及び操向レバー（２３）よりも前方で、運転席（６）に着座したオペレータの目と刈取部（３）に備えた右側の分草体（９）の先端とを結ぶ視線（Ｘ）よりも後側の部位に配置し、前記刈取部（３）に左右方向に並設した各引起しケース（１０ａ）の上端を引起し支持フレーム（１４）で連結し、該引起し支持フレーム（１４）に左側の第２方向指示器（２０Ｌ）を装着し、刈取部（３）を刈取作業位置に下降させた状態では該第２方向指示器（２０Ｌ）が下向きとなり、刈取部（３）を非刈取作業位置まで上昇させると該第２方向指示器（２０Ｌ）が地面に対して水平な方向を向く構成としたことを特徴とするコンバイン。
【請求項２】
前記フロントパネル（７）を操作ボックス（５）の前面に開閉自在に装着し、該フロントパネル（７）の両サイドのノブボルトを外すことでフロントパネル（７）を前方に開いて内蔵された電装機器のメンテナンスを行なえる構成としたことを特徴とする請求項１記載のコンバイン。
【発明の詳細な説明】
【技術分野】
【０００１】
本発明は、穀稈を刈り取りながら脱穀するコンバインに関する。
【背景技術】
【０００２】
コンバイン等の農業機械においても、路上走行時等には、機体の進路変更や旋回を行う時、点滅して対向車や後続車に進行方向を知らせる方向指示器が設置されている。従来、コンバインでは、特許文献１に開示されているように、特に、機体の前面側に設けられた左右の方向指示器は共に、左右側引起し装置の外側端部で上下方向中途部に配置されている。
【特許文献１】特開２００４−３３０９８号公報
【発明の開示】
【発明が解決しようとする課題】
【０００３】
上記従来の右側方向指示器は、操作ボックスのフロントパネルの外側縁より内側に配置されているので、斜め前方サイドからの視認性が悪くなる問題があり、また、左側方向指示器は引起し装置の上端より下方にあるため、対向車側からは引起しケースに隠れて見えなくなる問題がある。
【０００４】
本発明の課題は、方向指示器をなるべく機体外側方に配置することで、斜め前方両サイドからの視認性を良好にすることにある。
【課題を解決するための手段】
【０００５】
本発明は、上述した課題を解決するために、次の如き技術手段を講じた。
すなわち、請求項１記載の発明は、走行クローラ（１）を備えた車体（２）の前部に刈取部（３）を設け、車体（２）の後部には脱穀部（４）を搭載し、車体（２）上に備えたグレンタンク（Ｇ）の前方に運転席（６）を設け、該運転席（６）の前側に操作ボックス（５）を設けたコンバインにおいて、前記操作ボックス（５）上にアーチ状に形成した固定ハンドル（８）を突設し、該固定ハンドル（８）の右側端部を外側方へ凸状に湾曲させて膨出部（８ａ）を形成することで該固定ハンドル（８）の前側に位置する操向レバー（２３）の操作時にオペレータが手を置く部分を拡大し、該膨出部（８ａ）を運転席（６）の下方に搭載されたエンジン（Ｅ）の外側部のカバー（２２）の外側面よりも内側の部位に配置し、右側の第１方向指示器（２０Ｒ）を取付ステー（２１）を介して前記固定ハンドル（８）に装着し、該第１方向指示器（２０Ｒ）を、機体正面視で操作ボックス（５）の前面に装着されたフロントパネル（７）の外側縁よりも外側方で、前記カバー（２２）の外側面よりも内側で、前記固定ハンドル（８）及び操向レバー（２３）よりも前方で、運転席（６）に着座したオペレータの目と刈取部（３）に備えた右側の分草体（９）の先端とを結ぶ視線（Ｘ）よりも後側の部位に配置し、前記刈取部（３）に左右方向に並設した各引起しケース（１０ａ）の上端を引起し支持フレーム（１４）で連結し、該引起し支持フレーム（１４）に左側の第２方向指示器（２０Ｌ）を装着し、刈取部（３）を刈取作業位置に下降させた状態では該第２方向指示器（２０Ｌ）が下向きとなり、刈取部（３）を非刈取作業位置まで上昇させると該第２方向指示器（２０Ｌ）が地面に対して水平な方向を向く構成としたことを特徴とするコンバインとする。
【０００６】
請求項２記載の発明は、前記フロントパネル（７）を操作ボックス（５）の前面に開閉自在に装着し、該フロントパネル（７）の両サイドのノブボルトを外すことでフロントパネル（７）を前方に開いて内蔵された電装機器のメンテナンスを行なえる構成としたことを特徴とする請求項１記載のコンバインとする。
【発明の効果】
【０００７】
請求項１記載の発明によれば、右側の第１方向指示器（２０Ｒ）は、強固に連結保持された操作ボックス（５）上の固定ハンドル（８）部に取り付けるので、特別な補強部材を要することなく、簡単な構成で安定よく強固に保持することができる。
【０００８】
また、固定ハンドル（８）の右側端部を外側方へ凸状に湾曲させて膨出部（８ａ）を形成し、該膨出部（８ａ）を運転席（６）の下方に搭載されたエンジン（Ｅ）の外側部のカバー（２２）の外側面よりも内側の部位に配置することで、機体幅の抑制を図ると共に、オペレータが操向レバー（２３）の操作時に手を置くことができる部分を多く確保しつつ、右側の第１方向指示器（２０Ｒ）を斜め後方から見たときの視認性を良好にすることができる。
【０００９】
そして、右側の第１方向指示器（２０Ｒ）は操作ボックス（５）のフロントパネル（７）外側縁よりも外方に配置してあるので、斜め前方両サイドからの視認性をも良好にすることができる。
【００１０】
また、右側の第１方向指示器（２０Ｒ）を固定ハンドル（８）よりも前方に配置することで、オペレータの乗り降りに際してこの第１方向指示器（２０Ｒ）が邪魔にならず、第１方向指示器（２０Ｒ）を、運転席（６）に着座したオペレータの目と刈取部（３）に備えた右側の分草体（９）の先端とを結ぶ視線（Ｘ）よりも後側の部位に配置することで、刈取作業時の分草体（９）の視認性を確保することができる。
【００１１】
また、左側の第２方向指示器（２０Ｌ）は、各引起しケース（１０ａ）の上端を連結する引起し支持フレーム（１４）に取り付けるので、特別な補強部材を要することなく、簡単な構成でもって安定よく強固に保持することができ、刈取部（３）を刈取作業位置に下降させた状態では第２方向指示器（２０Ｌ）を下に向け、刈取部（３）を非刈取作業位置まで上昇させることで第２方向指示器（２０Ｌ）を地面に対して水平な方向に向けることができる。
【００１２】
請求項２記載の発明によると、上記請求項１記載の発明の効果を奏するものでありながら、フロントパネル（７）の両サイドのノブボルトを外すことでフロントパネル（７）を前方に開き、内蔵された電装機器のメンテナンスを行なうことができる。
【発明を実施するための最良の形態】
【００１３】
以下、本発明の実施例を図面に基づいて具体的に説明する。
まず、図１〜図４に示すコンバインの構成について述べる。
走行クロ−ラ１を具備する車体２上には、前部に昇降可能な刈取部３を、後部に脱穀装置（脱穀部）４を搭載している。刈取部３の横側部には前側に操作ボックス５、その後側に運転席６が設置され、その後方には収穫された穀粒を一時的に貯溜するグレンタンクＧが装備されている。
【００１４】
操作ボックス５の前面にフロントパネル７が着脱開閉自在に装着され、パネル両サイドのノブボルトを外すとパネルを前方に開けることができ、内蔵された電装機器等のメンテを行うことができる。また、操作ボックス５上にはアーチ状に形成された丸棒からなる固定ハンドル８が突設されている。
【００１５】
刈取部３は、穀稈を左右に分草する分草体９と、分草後の３条の穀稈を引き起す引起し装置１０（１０Ｌ，１０Ｃ，１０Ｒ）と、引起し後の穀稈を刈り取る刈取装置１１と、刈取後の穀稈を揚上搬送し穂先側を脱穀装置４の扱室内に供給し株元側をフィードチエン１３に受け渡す揚上搬送装置１２とからなる。前記各引起し装置１０Ｌ，１０Ｃ，１０Ｒの引起しケース１０ａ上端部は、アーチ状に形成された引起し支持フレーム１４によって強固に連結保持されている。
【００１６】
以上のように構成されたコンバインの前面側でその左右両側部には、機体の進行方向を指示する点滅式の方向指示器２０Ｌ，２０Ｒが配置されている。右側の方向指示器（第１方向指示器）２０Ｒは、正面視で前記フロントパネル７の外側縁Ｙ１より外側方に配置し、固定ハンドル８部にこれと一体の取付ステー２１を介して装着支持している。また、この方向指示器２０Ｒは、運転席６の下方に搭載されたエンジンＥの外側カバー（カバー）２２に対してはその外側面よりも内側に位置するよう配設してあり、しかも、正面視で右分草体９の先端より右側に配置し、更に、側面視で図５に示すように、オペレータの目と右側の分草体９の先端とを結ぶ視線Ｘより後側に配置することで、作業時の分草体の視認性を確保するように構成している。
【００１７】
図５に示すように、方向指示器２０Ｒの取付ステー２１と操作ボックス５上のメータパネル２５とを側面視でラップさせ、その両者間に方向指示器２０Ｒのハーネス２６を配策することで、ハーネスの保護化が容易となるようにしている。
【００１８】
前記固定ハンドル８部は、この右側端部を外側方へ凸に湾曲させて膨出部８ａを形成している。膨出部８ａは、前記エンジンＥの外側カバー２２外側面よりは内側位置にとどまるよう配置することによって機体幅の抑制を図るようにしている。かかる膨出部８ａの構成によれば、オペレータがパワステレバー（前後方向の操作で刈取部を昇降制御し、左右方向の操作で機体進行方向を操向制御する。請求項の「操向レバー」）２３の操作時に手を置くことができる部分を多く確保しつつ、方向指示器を斜め後方から見た時の視認性を良好にすることができる。なお、方向指示器２０Ｒは、図示のように、固定ハンドル８及び前記パワステレバー２３より前方に配置しておくと、オペレータの乗降に際し、方向指示器が邪魔にならず、また、パワステレバーを左右に操作しても方向指示器に干渉しないため操作性が良好となり、方向指示器の視認性も良好に保つことができる。
【００１９】
また、前記固定ハンドル８部には、前記方向指示器２０Ｒとは別にバックミラー２４をも装着支持できるように構成している。バックミラー２４はエンジン外側カバー２２の外側面に対し外側に配置することにより、ミラーの視認性が良好に保たれる。
【００２０】
なお、図例では、前記バックミラー２４と方向指示器２０Ｒとが正面視で重ならないに上下方向に位置をずらして配置している。
【００２１】
左側の方向指示器（第２方向指示器）２０Ｌは、左側引起し装置１０Ｌの引起しケース１０ａ外側縁Ｙ２より外側方で、該ケース１０ａ上端よりも上方に配置し、前記引起し支持フレーム１４に取付ステー２１を介して装着支持している。また、方向指示器２０Ｌを左側の引起し装置１０Ｌのケ−ス後面より後側に配置することで、引起しケースの着脱の容易化を図るようにしている。
【００２２】
また、左側の方向指示器２０Ｌは、刈取部を下げた状態での刈取作業時には下向きとなっているが、路上走行時に刈取部を非作業姿勢位置まで上昇させると、この指示器の向きが完全に正面を向く（地面に対し水平）ように取付構成している。
【００２３】
なお、図中、２７は変速レバーを示し、前後方向の操作でＨＳＴ（油圧式無段変速装置）を駆動し、ミッションケース内のミッション装置を介して前後進変速制御を司るように構成している。２８は前照灯を示す。
【図面の簡単な説明】
【００２４】
【図１】コンバインの左側面図
【図２】コンバインの右側面図
【図３】コンバインの正面図
【図４】コンバインの平面図
【図５】同上要部の左側面図
【符号の説明】
【００２５】
１    走行クローラ
２    車体
３    刈取部
４    脱穀部
５    操作ボックス
６    運転席
７    フロントパネル
８    固定ハンドル
８ａ  膨出部
９    分草体
１０    引起し装置
１０ａ  引起しケース
１４    引起し支持フレーム
２０Ｌ  左側の方向指示器（第２方向指示器）
２０Ｒ  右側の方向指示器（第１方向支持器）
２１    取付ステー
２２    外側カバー（カバー）
２３ パワステレバー（操向レバー）
Ｅ    エンジン
Ｇ    グレンタンク
Ｘ    視線
【図１】
0004770311.tif 000002
【図２】
0004770311.tif 000003
【図３】
0004770311.tif 000004
【図４】
0004770311.tif 000005
【図５】
0004770311.tif 000006